(57)【要約】【課題】衣類におけるしわの発生を抑制できるガーメントケースを提供する。【解決手段】ガーメントケース１は、衣類を収納可能であると共に、折り畳み可能な本体３を備え、本体３内には、当該本体３が折り曲げられる位置に配置されると共に衣類が収納された状態において折り曲げ部分の延在方向に沿って延びるロールバー１０が取り付けられている。【選択図】図５
2018057594.tif 000002
【特許請求の範囲】
【請求項１】
衣類を収納するガーメントケースであって、
前記衣類を収納可能であると共に、折り畳み可能な本体を備え、
前記本体内には、当該本体が折り曲げられる位置に配置されると共に前記衣類が収納された状態において折り曲げ部分の延在方向に沿って延びるロールバーが取り付けられている、ガーメントケース。
【請求項２】
前記ロールバーは、少なくとも一部が前記本体に対して着脱可能である、請求項１に記載のガーメントケース。
【請求項３】
前記衣類のうちトップスを収納するときに使用可能である板状の第１部材を備え、
前記第１部材は、前記トップスの肩部を含む部分に位置するように前記トップスが被せられ、前記本体内に配置される、請求項１又は２に記載のガーメントケース。
【請求項４】
前記第１部材は、前記トップスの上下方向に沿って折り畳み可能である、請求項３に記載のガーメントケース。
【請求項５】
前記衣類のうちボトムスを収納するときに使用可能である板状の第２部材を備え、
前記第２部材は、前記ロールバーを介して折り畳まれた前記ボトムス上に位置するように、前記本体内に配置される、請求項１〜４のいずれか一項に記載のガーメントケース。
【発明の詳細な説明】
【技術分野】
【０００１】
本発明は、衣類を収納するガーメントケースに関する。
【背景技術】
【０００２】
ガーメントケースは、ジャケット及びパンツ等の衣類を収納し、当該衣類を持ち運ぶためのかばんである（例えば、特許文献１参照）。ガーメントケースは、衣類を収納した状態で折り畳まれる。これにより、ガーメントケースは、持ち運び可能な大きさとなる。
【先行技術文献】
【特許文献】
【０００３】
【特許文献１】特開２００３−１５３７１９号公報
【発明の概要】
【発明が解決しようとする課題】
【０００４】
ガーメントケースは、上述のように、衣類を収納した状態で折り畳まれる。このような構成では、衣類も折り畳まれるため、衣類の折り曲げられた部分に折り目によるシワ、及び／又は、衣類のずれに起因するシワ等が発生するおそれがある。衣類にシワが発生すると、シワを除去するための作業が必要となり、使用者の手間となる。したがって、シワが発生し難いガーメントケースが望まれている。
【０００５】
本発明の一側面は、衣類におけるシワの発生を抑制できるガーメントケースを提供することを目的とする。
【課題を解決するための手段】
【０００６】
本発明の一側面に係るガーメントケースは、衣類を収納するガーメントケースであって、衣類を収納可能であると共に、折り畳み可能な本体を備え、本体内には、当該本体が折り曲げられる位置に配置されると共に衣類が収納された状態において折り曲げ部分の延在方向に沿って延びるロールバーが取り付けられている。
【０００７】
本発明の一側面に係るガーメントケースでは、本体にロールバーが取り付けられている。ロールバーは、本体が折り曲げられる位置に配置されると共に、衣類が収納された状態において折り曲げ部分の延在方向に沿って延びている。この構成では、本体が折り曲げられる位置において、衣類がロールバーを挟んで折り曲げられる。これにより、衣類がロールバーに沿って折り曲げられるため、衣類に折り目が発生し難い。また、ロールバーは、本体に取り付けられるため、ガーメントケースを持ち運ぶときに位置にずれが生じない。これにより、本体内において衣類にずれが生じることを抑制でき、ずれに起因するシワの発生を抑制できる。したがって、ガーメントケースでは、衣類におけるシワの発生を抑制できる。
【０００８】
一実施形態においては、ロールバーは、少なくとも一部が本体に対して着脱可能であってもよい。この構成では、衣類を本体に収納するときに、ロールバーを取り外せるため、ロールバーが衣類を収納するときに邪魔になることを回避できる。したがって、衣類を容易に本体に収納することが可能となる。
【０００９】
一実施形態においては、衣類のうちトップスを収納するときに使用可能である板状の第１部材を備え、第１部材は、トップスの肩部を含む部分に位置するようにトップスが被せられ、本体内に配置されてもよい。この構成では、トップスの肩部を含む部分の形状が第１部材により保持される。したがって、本体内において、振動及び／又は衝撃等により衣類に偏り等が生じることを抑制できる。その結果、衣類におけるシワの発生をより一層抑制できる。
【００１０】
一実施形態においては、衣類のうちボトムスを収納するときに使用可能である板状の第２部材を備え、第２部材は、ロールバーを介して折り畳まれたボトムス上に位置するように、本体内に配置されてもよい。この構成では、本体内において第２部材によりボトムスが押圧されて保持される。したがって、本体内において、振動及び／又は衝撃等により衣類に偏り等が生じることを抑制できる。その結果、衣類におけるシワの発生をより一層抑制できる。
【発明の効果】
【００１１】
本発明の一側面によれば、衣類におけるシワの発生を抑制できる。
【図面の簡単な説明】
【００１２】
【図１】図１（ａ）及び図１（ｂ）は、第１実施形態に係るガーメントケースを示す斜視図である。
【図２】図２は、図１に示すガーメントケースが開いた状態を示す図である。
【図３】図３は、図２に示すガーメントケースにおいてライニングを開いた状態を示す図である。
【図４】図４（ａ）は、第１部材を示す図であり、図４（ｂ）は、第２部材を示す図である。
【図５】図５は、ガーメントケースに衣類が収納された状態を示す図である。
【図６】図６は、ガーメントケースに衣類を収納する手順の一例を示す図である。
【図７】図７は、ガーメントケースに衣類を収納する手順の一例を示す図である。
【図８】図８は、ガーメントケースに衣類を収納する手順の一例を示す図である。
【図９】図９は、ガーメントケースに衣類を収納する手順の一例を示す図である。
【図１０】図１０は、ガーメントケースに衣類を収納する手順の一例を示す図である。
【図１１】図１１は、ガーメントケースに衣類を収納する手順の一例を示す図である。
【図１２】図１２は、ガーメントケースに衣類を収納する手順の一例を示す図である。
【図１３】図１３は、ガーメントケースに衣類を収納する手順の一例を示す図である。
【図１４】図１４は、ガーメントケースに衣類を収納する手順の一例を示す図である。
【図１５】図１５は、ガーメントケースに衣類を収納する手順の一例を示す図である。
【図１６】図１６は、ガーメントケースに衣類を収納する手順の一例を示す図である。
【図１７】図１７は、ガーメントケースに衣類を収納する手順の一例を示す図である。
【図１８】図１８（ａ）及び図１８（ｂ）は、第２実施形態に係るガーメントケースを示す斜視図である。
【図１９】図１９は、図１８に示すガーメントケースが開いた状態を示す図である。
【図２０】図２０は、図１９に示すガーメントケースにおいてライニングを開いた状態を示す図である。
【図２１】図２１（ａ）、図２１（ｂ）及び図２１（ｃ）は、第２部材を示す図である。
【図２２】図２２は、ガーメントケースに衣類を収納する手順の一例を示す図である。
【図２３】図２３は、ガーメントケースに衣類を収納する手順の一例を示す図である。
【図２４】図２４（ａ）及び図２４（ｂ）は、ガーメントケースに衣類を収納する手順の一例を示す図である。
【図２５】図２５は、ガーメントケースに衣類を収納する手順の一例を示す図である。
【図２６】図２６は、ガーメントケースに衣類を収納する手順の一例を示す図である。
【図２７】図２７は、ガーメントケースに衣類を収納する手順の一例を示す図である。
【図２８】図２８は、ガーメントケースに衣類を収納する手順の一例を示す図である。
【図２９】図２９は、ガーメントケースに衣類を収納する手順の一例を示す図である。
【発明を実施するための形態】
【００１３】
以下、添付図面を参照して、本発明の好適な実施形態について詳細に説明する。なお、図面の説明において同一又は相当要素には同一符号を付し、重複する説明は省略する。
【００１４】
［第１実施形態］
第１実施形態に係るガーメントケースについて説明する。図１（ａ）及び図１（ｂ）に示されるガーメントケース１は、ジャケットＪ（図５参照）及びパンツＰ（図５参照）等の衣類を収納する。ガーメントケース１は、持ち運び可能なかばんである。図１（ａ）、図１（ｂ）、図２、図３及び図４のいずれかに示されるように、ガーメントケース１は、本体３と、第１部材５と、第２部材７と、を備える。図１（ａ）及び図１（ｂ）に示されるように、ガーメントケース１は、閉じられた状態において、例えば、幅Ｗが５５０ｍｍ、長さＬが４５０ｍｍ、高さＨが３０ｍｍである。
【００１５】
本体３は、衣類を収納可能であると共に、折り畳み可能である。本体３は、図１（ａ）及び図１（ｂ）に示されるように、折り畳まれた（閉じられた）状態で、衣類を収納する。本体３は、ガーメントケース１の外側面３ａ，３ｂを構成する。本体３は、折り畳まれた状態において、略長方形状を呈している。図２に示されるように、本体３は、開かれた状態において略長方形状を呈している。本体３は、例えば、一枚の部材で構成されている。本体３の材料としては、例えば、ポリエステル、ポリウレタンを用いることができる。
【００１６】
本体３には、外側面３ａと外側面３ｂとの間（図２における本体３の長手方向の略中央部）に、まち３ｃが設けられている。まち３ｃは、本体３の幅方向に沿って延在している。まち３ｃは、本体３が折り畳まれるときに折り曲げられる部分である。まち３ｃは、例えば、本体３よりも剛性の高い材料で形成されていてもよい。まち３ｃの一例は、例えば、ポリプロピレン製のテープ、ベルポーレン製の板材等である。まち３ｃには、取っ手４が設けられている。
【００１７】
図２に示されるように、本体３の縁には、ファスナー３ｄが設けられている。ファスナー３ｄは、本体３の４つの縁を囲うように設けられている。図１（ａ）及び図１（ｂ）に示されるように、ファスナー３ｄは、本体３が折り畳まれた状態において、開閉することが可能である。ファスナー３ｄが閉じることで、本体３が折り畳まれた状態が維持される。
【００１８】
図３に示されるように、本体３の内側には、２枚のライニング３ｅ，３ｆが設けられている。ライニング３ｅ，３ｆは、本体３の内側の３つの縁に取り付けられている。具体的には、ライニング３ｅは、本体３の長手方向に沿った一方の縁、及び、本体３の短手方向に沿った一方の縁に取り付けられている。ライニング３ｆは、本体３の長手方向に沿った他方の縁、及び、本体３の短手方向に沿った一方の縁に取り付けられている。これにより、ライニング３ｅ，３ｆは、本体３の短手方向に沿った他方の縁側（図３における上側）が開く。図２に示されるように、ライニング３ｅ，３ｆは、閉じた状態において、例えば、スナップボタンにより互いに留められる。
【００１９】
本体３には、ロールバー１０が取り付けられている。ロールバー１０は、本体３が折り曲げられる位置に配置されると共に、衣類が収納された状態において折り曲げ部分の延在方向に沿って延びる。具体的には、ロールバー１０は、本体３の内側において、まち３ｃに対応する位置に配置される。すなわち、ロールバー１０は、図３に示されるように、本体３が開いた状態において、本体３の長さ方向（図３の上下方向）の中央部に配置される。ロールバー１０は、本体３の折り曲げ部分の延在方向、すなわち本体３の幅方向に沿って延びる。ロールバー１０は、本体３の内側面とライニング３ｅ，３ｆとの間に配置される。
【００２０】
本実施形態では、ロールバー１０は、バー本体１０ａと、支持体１０ｂと、第１係合部１０ｃと、第２係合部１０ｄと、を有する。バー本体１０ａは、外形が円形状を呈している。バー本体１０ａの直径（外径）は、例えば、３８ｍｍである。本実施形態では、バー本体１０ａは、中空の部材である。バー本体１０ａの中空部には、支持体１０ｂが通される。バー本体１０ａは、弾性及び柔軟性を有していることが好ましい。バー本体１０ａの材料としては、発泡ポリエチレンを用いることができる。
【００２１】
支持体１０ｂは、バー本体１０ａを支持する。本実施形態では、支持体１０ｂは、帯状のテープである。支持体１０ｂの材料としては、例えば、ポリプロピレン等を用いることができる。支持体１０ｂは、バー本体１０ａの中空部（内側）に通されている。支持体１０ｂの一端部は、本体３に固定されている。具体的には、支持体１０ｂの一端部は、本体３の長さ方向の略中央部において、幅方向の一方の縁（図３では左側の縁）側に固定されている。支持体１０ｂの他端部には、第１係合部１０ｃが取り付けられている。
【００２２】
第１係合部１０ｃ及び第２係合部１０ｄは、バックルを構成している。第１係合部１０ｃは、支持体１０ｂの他端部に取り付けられている。第２係合部１０ｄは、本体３に例えばテープを介して固定されている。具体的には、第２係合部１０ｄは、本体３の長さ方向の略中央部において、幅方向の他方の縁（図３では右側の縁）側に固定されている。つまり、第２係合部１０ｄは、支持体１０ｂの一端部が本体３に固定されている位置と、本体３の幅方向において同一直線上に固定されている。これにより、第１係合部１０ｃと第２係合部１０ｄとが係合したときに、ロールバー１０が本体３の幅方向に延在して位置する。
【００２３】
第１部材５は、衣類のうちトップスを収納するときに使用可能な部材である。トップスとしては、ジャケットＪの他に、例えば、シャツ、カットソー等が含まれる。第１部材５は、板材である。第１部材５は、図４（ａ）に示されるように、ジャケットＪの肩部Ｊａ，Ｊｂに沿う形状を呈している。具体的には、第１部材５は、ジャケットＪの肩部Ｊａ，Ｊｂに対応するように設けられた湾曲部５ａ，５ｂを有している。
【００２４】
第１部材５は、例えば、幅Ｗ１（最大幅）が４６０ｍｍ、長さＬ１が４００ｍｍである。第１部材５の厚みは、適宜設定されればよいが、例えば、１０ｍｍ程度である。第１部材５は、剛性及び柔軟性を有する材料で形成されている。また、第１部材５は、表面の摩擦抵抗が大きいことが好ましい。第１部材５の材料の例としては、例えば、発泡ウレタン等が挙げられる。第１部材５は、剛性及び柔軟性を有することにより、本体３の撓み等に追従できる。また、第１部材５の表面の摩擦抵抗が大きいことにより、衣類が第１部材５に対して滑り難くなる。
【００２５】
第２部材７は、衣類のうちボトムスを収納するときに使用可能な部材である。ボトムスとしては、パンツＰの他に、スカート等が含まれる。第２部材７は、板材である。第２部材７は、矩形状を呈している。第２部材７は、例えば、幅Ｗ２が３００ｍｍ、長さＬ２が３００ｍｍである。第２部材７の厚みは、適宜設定されればよいが、例えば、１０ｍｍ程度である。第２部材７は、剛性及び柔軟性を有する材料で形成されている。また、第２部材７は、表面の摩擦抵抗が大きいことが好ましい。第２部材７の材料の例としては、例えば、発泡ウレタン等が挙げられる。第２部材７は、剛性及び柔軟性を有することにより、本体３の撓み等に追従できる。また、第２部材７の表面の摩擦抵抗が大きいことにより、衣類が第２部材７に対して滑り難くなる。
【００２６】
続いて、上記構成を有するガーメントケース１の使用方法について詳細に説明する。以下の説明では、衣類として、ジャケットＪ及びパンツＰをガーメントケース１に収納する形態を一例に説明する。
【００２７】
最初に、図６及び図７に示されるように、ジャケットＪに第１部材５を配置する。ジャケットＪへの第１部材５の配置は、本体３上で行ってもよいし、本体３上以外で行ってもよい。第１部材５は、当該第１部材５の湾曲部５ａ，５ｂがジャケットＪの肩部Ｊａ，Ｊｂに部が位置するように、ジャケットＪに配置する。次に、図８に示されるように、ジャケットＪのボタンを閉めると共に袖を前側に位置させた状態で、図９に示されるように、ジャケットＪを本体３に配置する。具体的には、ロールバー１０の第１係合部１０ｃと第２係合部１０ｄとの係合を解除し、ロールバー１０を本体３上から待避させて状態で、ジャケットＪを本体３とライニング３ｅ，３ｆとの間に配置する。ジャケットＪは、ライニング３ｅ，３ｆが開く側に第１部材５が位置するように、本体３に配置する。
【００２８】
続いて、図１０に示されるように、ロールバー１０をジャケットＪ上に移動させて、図１１に示されるように、ロールバー１０の第１係合部１０ｃと第２係合部１０ｄと係合させる。これにより、ロールバー１０が固定される。
【００２９】
次に、図１２に示されるように、パンツＰをジャケットＪとロールバー１０との間に配置する。なお、パンツＰは、ロールバー１０を固定する前に、ジャケットＪ上に配置することで、ジャケットＪとロールバー１０との間に位置させてもよい。すなわち、ロールバー１０の第１係合部１０ｃと第２係合部１０ｄとの係合は、パンツＰをジャケットＪ上に配置した後に行ってもよい。
【００３０】
続いて、図１３に示されるように、パンツＰをロールバー１０を中心として折り畳む（折り曲げる）。このとき、例えば、パンツＰの裾部分が本体３の上側（ライニング３ｅ，３ｆが開く側）からはみ出すように、パンツＰを折り畳む。続いて、図１４に示されるように、第２部材７を配置する。具体的には、折り畳まれたパンツＰ上に第２部材７を配置する。これにより、第２部材７は、第１部材５と重なる位置に配置される。
【００３１】
そして、図５に示されるように、第２部材７よりも突出するパンツＰの裾部分が第２部材７上となるように、パンツＰを折り返す。その後、図２に示されるように、ライニング３ｅ，３ｆを閉じた後にファスナー３ｄを閉じる。以上により、図１（ａ）及び図１（ｂ）に示されるように、ジャケットＪ及びパンツＰがガーメントケース１に収納される。
【００３２】
上記形態では、ジャケットＪ及びパンツＰの両方をガーメントケース１に収納するにあたり、第１部材５及び第２部材７を用いる形態を一例に説明した。ジャケットＪ又はパンツＰの一方のみを収納する場合であっても、第１部材５及び第２部材７を用いてもよい。例えば、ジャケットＪのみを収納する場合、ジャケットＪ上に第２部材７を配置してもよい。また、例えば、パンツＰのみを収納する場合、パンツＰの下に第１部材５を配置してもよい。いずれか一方の衣類を収納する場合であっても、第１部材５及び第２部材７を配置することにより、衣類が本体３内に配置される第１部材５及び第２部材７に押圧されるため、衣類にずれが生じ難くなる。これにより、衣類においてシワが発生することを抑制できる。
【００３３】
なお、パンツＰの収納形態は、上記形態に限定されない。図１５に示されるように、パンツＰをジャケットＪ上に配置した後、パンツＰ上（第１部材５と重なる位置）に第２部材７を配置する。続いて、図１６に示されるように、パンツＰをロールバー１０を中心として折り畳む（折り曲げる）。このとき、例えば、パンツＰの裾部分が本体３の上側（ライニング３ｅ，３ｆが開く側）からはみ出すように、パンツＰを折り畳む。続いて、図１７に示されるように、パンツＰの裾部分が第２部材７とパンツＰとの間に配置されるように、パンツＰの裾部分を折り返す。
【００３４】
以上説明したように、本実施形態に係るガーメントケース１では、本体３にロールバー１０が取り付けられている。ロールバー１０は、本体３が折り曲げられる位置に配置されると共に、折り曲げ部分の延在方向に沿って延びている。この構成では、本体３が折り曲げられる位置において、衣類がロールバー１０を挟んで折り曲げられる。これにより、衣類がロールバー１０に沿って折り曲げられるため、衣類に折り目が発生し難い。また、ロールバー１０は、本体３に取り付けられるため、ガーメントケース１を持ち運ぶときに位置にずれが生じない。これにより、本体３内において衣類にずれが生じることを抑制でき、ずれに起因するシワの発生を抑制できる。したがって、ガーメントケース１では、衣類におけるシワの発生を抑制できる。
【００３５】
本実施形態に係るガーメントケース１では、ロールバー１０は、第１係合部１０ｃ及び第２係合部１０ｄを有している。第１係合部１０ｃ及び第２係合部１０ｄは、バックルを構成している。第１係合部１０ｃは、バー本体１０ａを支持する支持体１０ｂに接続されており、第２係合部１０ｄは、本体３に固定されている。このような構成により、第１係合部１０ｃと第２係合部１０ｄとの係合を解除することにより、ロールバー１０が本体３に対して着脱可能となる。これにより、衣類を本体３に収納するときに、ロールバー１０を邪魔にならない位置に待避させることができるため、衣類を容易に本体３に収納することが可能となる。
【００３６】
本実施形態に係るガーメントケース１は、衣類のうちジャケットＪ（トップス）を収納するときに使用可能である板状の第１部材５を備える。第１部材５は、ジャケットＪの肩部Ｊａ，Ｊｂを含む部分に位置するようにトップスが被せられ、本体３内に配置される。この構成では、ジャケットＪの肩部Ｊａ，Ｊｂを含む部分の形状が第１部材５により保持される。したがって、本体３内において、振動及び／又は衝撃等により衣類に偏り等が生じることを抑制できる。その結果、衣類におけるシワの発生をより一層抑制できる。
【００３７】
本実施形態に係るガーメントケース１は、衣類のうちパンツＰ（ボトムス）を収納するときに使用可能である板状の第２部材７を備える。第２部材７は、ロールバー１０を介して折り畳まれたボトムス上に位置するように、本体３内に配置される。この構成では、本体３内において第２部材７によりパンツＰが押圧されて保持される。したがって、本体３内において、振動及び／又は衝撃等により衣類に偏り等が生じることを抑制できる。その結果、衣類におけるシワの発生をより一層抑制できる。特に、本実施形態に係るガーメントケース１では、第１部材５と第２部材７とが重ねられて配置されるため、第１部材５及び第２部材７により衣類が挟持される。したがって、ガーメントケース１では、衣類におけるシワの発生をより一層抑制できる。
【００３８】
本実施形態に係るガーメントケース１では、ロールバー１０は、本体３が折り曲げられる部分であるまち３ｃに対応する位置に配置される。ガーメントケース１では、まち３ｃに取っ手４が設けられている。この構成では、まち３ｃの部分がロールバー１０との協働により、剛性が確保されている。そのため、取っ手４を把持してガーメントケース１を持ったときに、まち３ｃの部分が撓むことを抑制できる。その結果、ガーメントケース１の携帯性の向上を図れる。
【００３９】
［第２実施形態］
続いて、第２実施形態に係るガーメントケースについて、図１８〜図２３を参照して説明する。各図に示される第２実施形態に係るガーメントケース２０は、第１実施形態に係るガーメントケース１よりも小型である。
【００４０】
上記各図のいずれかに示されるように、ガーメントケース２０は、本体２２と、第１部材２４と、第２部材７（図４（ｂ）参照）と、を備える。図１８（ａ）及び図１８（ｂ）に示されるように、ガーメントケース２０は、閉じられた状態において、例えば、幅Ｗ３が３６０ｍｍ、長さＬ３が４８０ｍｍ、高さＨ３が３０ｍｍである。
【００４１】
本体２２は、衣類を収納可能であると共に、折り畳み可能である。本体２２は、図１８（ａ）及び図１８（ｂ）に示されるように、折り畳まれた（閉じられた）状態で、衣類を収納する。本体２２は、ガーメントケース２０の外側面２２ａ，２２ｂを構成する。本体２２は、折り畳まれた状態において、略長方形状を呈している。図１９に示されるように、本体２２は、開かれた状態において略長方形状を呈している。本体２２は、例えば、一枚の部材で構成されている。本体３の材料としては、例えば、ポリエステル、ポリウレタンを用いることができる。
【００４２】
本体２２には、外側面２２ａと外側面２２ｂとの間に、まち２２ｃが設けられている。まち２２ｃは、本体２２の幅方向に沿って延在している。まち２２ｃは、本体２２が折り畳まれるときに折り曲げられる部分である。まち２２ｃは、例えば、本体２２よりも剛性の高い材料で形成されている。まち２３ｃの一例は、例えば、ポリプロピレン製のテープ、ベルポーレン製の板材等である。まち２２ｃには、取っ手２３が設けられている。
【００４３】
図１９に示されるように、本体２２の縁には、ファスナー２２ｄが設けられている。ファスナー２２ｄは、本体２２の４つの縁を囲うように設けられている。図２０に示されるように、本体２２の内側には、２枚のライニング２２ｅ，２２ｆが設けられている。
【００４４】
図２２に示されるように、本体２２には、ロールバー３０が取り付けられている。ロールバー３０は、本体２２が折り曲げられる位置に配置されると共に、衣類が収納された状態において折り曲げ部分の延在方向に沿って延びる。ロールバー３０の構成は、第１実施形態のロールバー１０と同様である。
【００４５】
第１部材２４は、衣類のうちトップスを収納する際に使用可能な部材である。第１部材２４は、板材である。第１部材２４は、図２１（ａ）〜図２１（ｂ）に示されるように、第１部分２４ａと、第２部分２４ｂと、連結部分２４ｃと、を有する。第１部分２４ａと第２部分２４ｂとは、連結部分２４ｃにより連結されている。第１部材２４は、ジャケットＪの肩部Ｊａ，Ｊｂに沿う形状を呈している。具体的には、第１部材５の第１部分２４ａは、ジャケットＪの肩部Ｊａに対応するように設けられた湾曲部２４ｄを有している。第１部材５の第２部分２４ｂは、ジャケットＪの肩部Ｊｂに対応するように設けられた湾曲部２４ｅを有している。連結部分２４ｃは、可撓性を有する。連結部分２４ｃは、例えば、帯状のテープである。この構成により、第１部材２４は、図２１（ｃ）に示されるように、第１部分２４ａと第２部分２４ｂとが対向するように、トップスの上下方向に沿って折り畳み可能である。
【００４６】
第１部材２４は、図２１（ａ）に示されるように、例えば、幅Ｗ４（最大幅）が４７５ｍｍ、長さＬ１が３７０ｍｍである。第１部材２４の厚みは、適宜設定されればよいが、例えば、１０ｍｍ程度である。また、第１部材２４は、図２１（ｃ）に示されるように、折り畳まれたときの幅Ｗ５が２３０ｍｍである。第１部材２４（第１部分２４ａ、第２部分２４ｂ）は、剛性及び柔軟性を有する材料で形成されている。また、第１部材２４は、表面の摩擦抵抗が大きいことが好ましい。第１部材２４の材料の例としては、例えば、硬質ウレタン等が挙げられる。第１部材２４は、剛性及び柔軟性を有することにより、本体２２の撓み等に追従できる。
【００４７】
続いて、上記構成を有するガーメントケース２０の使用方法について詳細に説明する。以下の説明では、衣類として、ジャケットＪ及びパンツＰを収納する形態を一例に説明する。
【００４８】
最初に、図２４（ａ）に示されるように、ジャケットＪに第１部材２４を配置する。ジャケットＪへの第１部材２４の配置は、本体２２上で行ってもよいし、本体２２上以外で行ってもよい。第１部材２４は、当該第１部材２４の湾曲部２４ｄ，２４ｅがジャケットＪの肩部Ｊａ，Ｊｂに部が位置するように、ジャケットＪに配置する。次に、図２４（ｂ）に示されるように、ジャケットＪのボタンを閉めると共に袖を前側に位置させた状態で、ジャケットＪを第１部材２４の連結部分２４ｃを中心に折り畳む。
【００４９】
続いて、図２５に示されるように、ジャケットＪを本体２２に配置する。具体的には、ロールバー３０の第１係合部３０ｃと第２係合部３０ｄとの係合を解除し、ロールバー３０を本体２２上から待避させて状態で、ジャケットＪを本体２２とライニング２２ｅ，２２ｆとの間に配置する。ジャケットＪは、ライニング２２ｅ，２２ｆが開く側に第１部材２４が位置するように、本体２２に配置する。
【００５０】
続いて、図２６に示されるように、ロールバー３０をジャケットＪ上に移動させて、ロールバー３０の第１係合部３０ｃと第２係合部３０ｄと係合させる。これにより、ロールバー３０が固定される。
【００５１】
次に、図２７に示されるように、パンツＰをジャケットＪとロールバー３０との間に配置する。なお、パンツＰは、ロールバー３０を固定する前に、ジャケットＪ上に配置することで、ジャケットＪとロールバー３０との間に位置させてもよい。すなわち、ロールバー３０の第１係合部３０ｃと第２係合部３０ｄとの係合は、パンツＰをジャケットＪ上に配置した後に行ってもよい。
【００５２】
続いて、図２８に示されるように、パンツＰをロールバー３０を中心として折り畳む（折り曲げる）。このとき、例えば、パンツＰの裾部分が本体２２の上側（ライニング２２ｅ，２２ｆが開く側）からはみ出すように、パンツＰを折り畳む。続いて、図２９に示されるように、第２部材７を配置する。具体的には、折り畳まれたパンツＰ上に第２部材７を配置する。これにより、第２部材７は、第１部材２４と重なる位置に配置される。
【００５３】
そして、図２３に示されるように、第２部材７よりも突出するパンツＰの裾部分が第２部材７上となるように、パンツＰを折り返す。その後、図１９に示されるように、ライニング２２ｅ，２２ｆを閉じた後にファスナー２２ｄを閉じる。以上により、図１８（ａ）及び図１８（ｂ）に示されるように、ジャケットＪ及びパンツＰがガーメントケース２０に収納される。
【００５４】
上記形態では、ジャケットＪ及びパンツＰの両方をガーメントケース１に収納するにあたり、第１部材２４及び第２部材７を用いる形態を一例に説明した。ジャケットＪ又はパンツＰの一方のみを収納する場合であっても、第１実施形態と同様に、第１部材２４及び第２部材７を用いてもよい。いずれか一方の衣類を収納する場合であっても、第１部材２４及び第２部材７を配置することにより、衣類が本体２２内に配置される第１部材２４及び第２部材７に押圧されるため、衣類にずれが生じ難くなる。これにより、衣類においてシワが発生することを抑制できる。
【００５５】
なお、パンツＰの収納形態は、上記形態に限定されない。パンツＰの収納形態は、第１実施形態の図１５〜図１７に示す形態であってもよい。すなわち、パンツＰをジャケットＪ上に配置した後、パンツＰ上（第１部材２４と重なる位置）に第２部材７を配置する。続いて、パンツＰをロールバー３０を中心として折り畳む（折り曲げる）。このとき、例えば、パンツＰの裾部分が本体２２の上側（ライニング２２ｅ，２２ｆが開く側）からはみ出すように、パンツＰを折り畳む。続いて、パンツＰの裾部分が第２部材７とパンツＰとの間に配置されるように、パンツＰの裾部分を折り返す。
【００５６】
以上説明したように、本実施形態に係るガーメントケース２０では、本体２２にロールバー３０が取り付けられている。ロールバー３０は、本体２２が折り曲げられる位置に配置されると共に、折り曲げ部分の延在方向に沿って延びている。この構成では、本体２２が折り曲げられる位置において、衣類がロールバー３０を挟んで折り曲げられる。これにより、衣類がロールバー３０に沿って折り曲げられるため、衣類に折り目が発生し難い。また、ロールバー３０は、本体２２に取り付けられるため、ガーメントケース２０を持ち運ぶときに位置にずれが生じない。これにより、本体２２内において衣類にずれが生じることを抑制でき、ずれに起因するシワの発生を抑制できる。したがって、ガーメントケース２０では、衣類におけるシワの発生を抑制できる。
【００５７】
本実施形態に係るガーメントケース２０では、第１部材２４は、連結部分２４ｃにより、ジャケットＪ（トップス）の上下方向に沿って折り畳み可能である。これにより、ジャケットＪを折り畳んだ状態で本体２２に収納できる。これにより、本体２２の幅を小さくすることができる。その結果、ガーメントケース２０の小型化を図ることができる。
【００５８】
以上、本発明の実施形態について説明してきたが、本発明は必ずしも上述した実施形態に限定されるものではなく、その要旨を逸脱しない範囲で様々な変更が可能である。
【００５９】
上記実施形態では、本体３，２２、第１部材５，２４、第２部材７、及び、ロールバー１０，３０について、形状、寸法及び材料の一例を挙げて説明した。しかし、本体３，２２、第１部材５，２４、第２部材７、及び、ロールバー１０，３０の形状、寸法及び材料は、設計に応じて適宜設定できる。本体３，２２の寸法としては、例えば、飛行機の機内に持ち込み可能な寸法とすることもできる。
【００６０】
上記実施形態では、ロールバー１０，３０が、バー本体１０ａ，３０ａ、支持体１０ｂ，３０ｂ、第１係合部１０ｃ，３０ｃ及び第２係合部１０ｄ，３０ｄを有する形態を一例に説明した。しかし、ロールバーの構成はこれに限定されない。例えば、ロールバーは、中央部分に連結部分が設けられていてもよい。この場合、ロールバーは本体に対して着脱されない構成であるが、ロールバーが中央部分において連結及び連結の解除が可能となる。そのため、衣類を本体に配置するときに、ロールバーを邪魔にならない位置に待避させることができるため、衣類を容易に本体に収納することが可能となる。また、ロールバーは、本体に対して完全に着脱可能に設けられてもよい。
【００６１】
上記実施形態では、本体３，２２が２つに折り畳まれる形態を一例に説明した。しかし、本体は、３つ以上折り畳まれる形態であってもよい。この構成の場合、ロールバーが、本体が折り曲げられる位置に配置されると共に衣類が収納された状態において折り曲げ部分の延在方向に沿って延びて取り付けられればよい。
【００６２】
上記実施形態では、本体３，２２にファスナー３ｄ，２２ｄが設けられている形態を一例に説明した。しかし、本体３，２２が閉じた状態を維持するための手段は、ファスナーに限定されない。例えば、本体３，２２が閉じた状態を維持するための手段として、スナップボタン等を用いてもよい。
【００６３】
上記実施形態に加えて、ガーメントケースは、衣類の収納領域（空間）を２以上有する形態であってもよい。具体的には、例えば、第１実施形態に示すガーメントケース１が２個連結されている形態であってもよい。より詳細には、例えば、２つの本体３の外側面３ａが背中合わせに連結されたような構成であってもよい。
【符号の説明】
【００６４】
１，２０…ガーメントケース、３，２２…本体、５，２４…第１部材、７…第２部材、１０，３０…ロールバー、Ｊ…ジャケット（トップス）、Ｐ…パンツ（ボトムス）。
【図１】
2018057594.tif 000003
【図２】
2018057594.tif 000004
【図３】
2018057594.tif 000005
【図４】
2018057594.tif 000006
【図５】
2018057594.tif 000007
【図６】
2018057594.tif 000008
【図７】
2018057594.tif 000009
【図８】
2018057594.tif 000010
【図９】
2018057594.tif 000011
【図１０】
2018057594.tif 000012
【図１１】
2018057594.tif 000013
【図１２】
2018057594.tif 000014
【図１３】
2018057594.tif 000015
【図１４】
2018057594.tif 000016
【図１５】
2018057594.tif 000017
【図１６】
2018057594.tif 000018
【図１７】
2018057594.tif 000019
【図１８】
2018057594.tif 000020
【図１９】
2018057594.tif 000021
【図２０】
2018057594.tif 000022
【図２１】
2018057594.tif 000023
【図２２】
2018057594.tif 000024
【図２３】
2018057594.tif 000025
【図２４】
2018057594.tif 000026
【図２５】
2018057594.tif 000027
【図２６】
2018057594.tif 000028
【図２７】
2018057594.tif 000029
【図２８】
2018057594.tif 000030
【図２９】
2018057594.tif 000031
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
衣類を収納するガーメントケースであって、
前記衣類を収納可能であると共に、折り畳み可能な本体を備え、
前記本体内には、当該本体が折り曲げられる位置に配置されると共に前記衣類が収納された状態において折り曲げ部分の延在方向に沿って延びるロールバーが取り付けられており、
前記ロールバーは、バー本体と、前記バー本体を支持する支持部と、を有しており、
前記バー本体は、弾性及び柔軟性を有する、ガーメントケース。
【請求項２】
前記ロールバーは、少なくとも一部が前記本体に対して着脱可能である、請求項１に記載のガーメントケース。
【請求項３】
前記衣類のうちトップスを収納するときに使用可能である板状の第１部材を備え、
前記第１部材は、前記トップスの肩部を含む部分に位置するように前記トップスが被せられ、前記本体内に配置される、請求項１又は２に記載のガーメントケース。
【請求項４】
前記第１部材は、前記トップスの上下方向に沿って折り畳み可能である、請求項３に記載のガーメントケース。
【請求項５】
前記衣類のうちボトムスを収納するときに使用可能である板状の第２部材を備え、
前記第２部材は、前記ロールバーを介して折り畳まれた前記ボトムス上に位置するように、前記本体内に配置される、請求項１〜４のいずれか一項に記載のガーメントケース。
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
衣類を収納するガーメントケースであって、
前記衣類を収納可能であると共に、折り畳み可能な本体と、
前記衣類のうちトップスを収納するときに使用可能であり、柔軟性を有する板状の第１部材と、
前記衣類のうちボトムスを収納するときに使用可能であり、柔軟性を有する板状の第２部材と、を備え、
前記本体内には、当該本体が折り曲げられる位置に配置されると共に前記衣類が収納された状態において折り曲げ部分の延在方向に沿って延びるロールバーが取り付けられており、
前記第１部材は、前記トップスの肩部を含む部分に位置するように前記トップスが被せられ、前記本体内に配置され、
前記第２部材は、前記ロールバーを介して折り畳まれた前記ボトムス上に位置するように、前記本体内において前記第１部材と重なる位置に配置され、
前記ロールバーは、バー本体と、前記バー本体を支持する支持部と、を有しており、
前記バー本体は、弾性及び柔軟性を有する、ガーメントケース。
【請求項２】
前記ロールバーは、少なくとも一部が前記本体に対して着脱可能である、請求項１に記載のガーメントケース。
【請求項３】
前記第１部材は、前記トップスの上下方向に沿って折り畳み可能である、請求項１又は２に記載のガーメントケース。